(57)【特許請求の範囲】
【請求項１】
書籍の背に接近したのど部分の紙間に貼着する無線タグが複数連接したラベルであって、無線タグインレットの縦方向長さと同等または幅広である裏面側剥離紙には、切り取り用ミシン目線が、１単位の無線タグインレットの横幅を超える一定間隔で、前記剥離紙の長さ方向に略直交して横断するように形成されており、さらに該各切り取り用ミシン目線に沿って、表面側剥離紙と粘着剤層と共に一体に打ち抜きされた無線タグインレットが、粘着剤層を介して接着していることを特徴とする無線タグラベル。
【請求項２】
無線タグインレットが、ダイポールアンテナを有するＵＨＦ帯用のものであることを特徴とする請求項１記載の無線タグラベル。
【請求項３】
前記一定間隔が、１５ｍｍから４０ｍｍの範囲であることを特徴とする請求項１または請求項２記載の無線タグラベル。
【請求項４】
前記切り取り用ミシン目線が、１単位の無線タグインレットの長辺に沿う部分では直線状に形成されており、長辺を超える域では、無線タグインレットの短辺側に屈曲するように形成されていることを特徴とする請求項１ないし請求項３のいずれか１の請求項記載の無線タグラベル。
【請求項５】
請求項１ないし請求項４のいずれか１の請求項記載の無線タグラベルを、無線タグインレットが接着している裏面側剥離紙の切り取り用ミシン目線から切り取りしたことを特徴とする無線タグ。
【請求項６】
請求項１ないし請求項４のいずれか１の請求項記載の無線タグラベルから、単位の無線タグを切り取りした後、表面側剥離紙を剥離除去して、書籍の表紙または裏表紙の背に接近したのど部分紙間に無線タグインレットが先端になるようにして差し込みし、次に表面側に書籍の表紙または裏表紙を被せて表側粘着剤に貼着し、さらに表紙または裏表紙を開いた状態で、裏面側剥離紙を剥離除去してから表紙または裏表紙の内側の用紙に裏側粘着剤により無線タグを貼着することを特徴とする無線タグの書籍への貼着方法。
【請求項７】
請求項１ないし請求項４のいずれか１の請求項記載の無線タグラベルから、単位の無線タグを切り取りした後、表面側剥離紙を剥離除去して、書籍のいずれかの用紙間の背に接近したのど部分紙間に無線タグインレットが先端になるようにして差し込みし、次に表面側に書籍の１の用紙を被せて表側粘着剤に貼着し、さらに当該１の用紙を開いた状態で、裏面側剥離紙を剥離除去してから前記１の用紙に対面する内側の用紙に裏側粘着剤により無線タグを貼着することを特徴とする無線タグの書籍への貼着方法。
【請求項８】
次の（１）から（８）の工程、
（１）インレット用ベースフィルムに間隔を置いて、細長形状の無線タグ用アンテナを該インレット用ベースフィルムの長さ方向に直交するように形成する工程、
（２）上記無線タグ用アンテナに非接触ＩＣチップを装着して、無線タグインレットの連続体を完成する工程、
（３）上記無線タグインレットのアンテナ面に、両面粘着テープをアンテナ面側に全面に接着する工程、
（４）無線タグインレットの横幅を超える一定間隔で、切り取り用ミシン目線を剥離紙の長さ方向に略直交して横断するように形成して裏面側剥離紙を準備する工程、
（５）無線タグインレットを１単位の横幅を超える幅に切断しながら前記両面粘着テープにより、（４）の工程で準備した裏面側剥離紙に位置合わせして接着する工程、
（６）無線タグインレットのインレット用ベースフィルム面に、表面側剥離紙付き両面粘着テープを全面に接着する工程、
（７）裏面側剥離紙に形成された切り取り用ミシン目線に、１単位の無線タグインレットの一方側長辺が一致するようにして、表面側剥離紙面から無線タグインレットの形状を打ち抜きする工程、
（８）前記無線タグインレットの形状の外部であって、無線タグインレットを構成しない表面側剥離紙と粘着剤層、およびインレット用ベースフィルムを除去する工程、を有することを特徴とする無線タグラベルの製造方法。
【請求項９】
前記工程（４）で、裏面側剥離紙に形成する切り取り用ミシン目線を、単位の無線タグインレットの長辺に沿う部分では直線状に形成し、長辺を超える域では、無線タグインレットの短辺側に屈曲するように形成することを特徴とする請求項８記載の無線タグラベルの製造方法。
【発明の詳細な説明】
【技術分野】
【０００１】
本発明は、無線タグラベルと無線タグ、無線タグの書籍への貼着方法等に関する。詳しくは、書籍ののど部分に目立たないように貼着する無線タグであって、その連続体や書籍への貼着方法等に関する内容である。
従って、本発明の技術分野は、無線タグの製造や書籍の製造や販売の分野に関する。
【背景技術】
【０００２】
従来から店頭での書籍の盗難防止や販売管理を適切に行うことが研究されている。この目的を達するために、非接触ＩＣタグ（無線タグ）ラベルを利用することが検討されている。しかし、カードサイズ程度の無線タグは一般的にかなりの面積を有することから、書籍によっては貼着する部分を確保できない問題がある。また、このようなラベルでは、人目に付かないように貼着するのは一般的に困難である。一見して無線タグの存在が判ると悪意による剥離、破壊行為がされるケースも認められた。
【０００３】
この目的のため、従来から磁気テープを利用した感知マーカーが使用されている。例えば、スリーエム（３Ｍ）社が販売する「タトルテープ」（商標）である。当該テープは、薄い細長の形状に形成されていて、書籍の背に接近したのど部分紙間に差し込みして粘着剤により貼着するようにされている。極めて細長い形状であるため、書籍の背に近く貼着した場合は、テープの存在を意識させない利点がある。
【０００４】
上記テープが特に使用上の問題があるわけではないが、無線タグも同様な使い易い形態にできれば用途の拡大を期待できる。また、集積回路からなるＩＣチップを実装でき、情報の記載量を大幅に拡大できるので、盗難防止以外に、在庫管理、棚卸し、貸出・返却管理といった多用なアプリケーションに対応することが可能になると考えられる。
本発明は、このような観点によりなされたものである。
本願に特に関連する先行文献は検出できないが、特許文献１は、「物品在庫追跡管理システム」に関するものである。また、「ＩＣメモリ入りプラスチックシートの作成装置」に関して特許文献２がある。
【０００５】
【特許文献１】特開２００４−３３３６５１号公報
【特許文献２】特開２００５−  ３５１２４号公報
【発明の開示】
【発明が解決しようとする課題】
【０００６】
書籍の背に接近したのど部分等の狭い面積の紙間に貼り付け易い形態を考慮した無線タグラベルとその書籍への貼着方法、無線タグラベルの製造方法等を研究して完成した発明である。
【課題を解決するための手段】
【０００７】
本発明の要旨の１は、書籍の背に接近したのど部分の紙間に貼着する無線タグが複数連接したラベルであって、無線タグインレットの縦方向長さと同等または幅広である裏面側剥離紙には、切り取り用ミシン目線が、１単位の無線タグインレットの横幅を超える一定間隔で、前記剥離紙の長さ方向に略直交して横断するように形成されており、さらに該各切り取り用ミシン目線に沿って、表面側剥離紙と粘着剤層と共に一体に打ち抜きされた無線タグインレットが、粘着剤層を介して接着していることを特徴とする無線タグラベル、にある。
【０００８】
上記要旨の１の無線タグラベルにおいて、無線タグインレットが、ダイポールアンテナを有するＵＨＦ帯用のものである、ようにすることができ、前記一定間隔が、１５ｍｍから４０ｍｍの範囲である、ようにすることもできる。その場合には無線タグインレットのない剥離紙の余白部分を把持して、書籍の背に接近したのど部分の紙間に差し込みすることが容易になる。また、切り取り用ミシン目線が、１単位の無線タグインレットの長辺に沿う部分では直線状に形成されており、長辺を超える域では、無線タグインレットの短辺側に屈曲するように形成されている、ようにすることもできる。その場合には、先端側が狭くなるので、差し込みが容易になる。
【０００９】
本発明の要旨の２は、請求項１ないし請求項４のいずれか１の請求項記載の無線タグインレットが接着している裏面側剥離紙の切り取り用ミシン目線から切り取りしたことを特徴とする無線タグ、にある。
【００１０】
本発明の要旨の３は、請求項１ないし請求項４のいずれか１の請求項記載の無線タグラベルから、単位の無線タグを切り取りした後、表面側剥離紙を剥離除去して、書籍の表紙または裏表紙の背に接近したのど部分紙間に無線タグインレットが先端になるようにして差し込みし、次に表面側に書籍の表紙または裏表紙を被せて表側粘着剤に貼着し、さらに表紙または裏表紙を開いた状態で、裏面側剥離紙を剥離除去してから表紙または裏表紙の内側の用紙に裏側粘着剤により無線タグを貼着することを特徴とする無線タグの書籍への貼着方法、にある。
【００１１】
本発明の要旨の４は、請求項１ないし請求項４のいずれか１の請求項記載の無線タグラベルから、単位の無線タグを切り取りした後、表面側剥離紙を剥離除去して、書籍のいずれかの用紙間の背に接近したのど部分紙間に無線タグインレットが先端になるようにして差し込みし、次に表面側に書籍の１の用紙を被せて表側粘着剤に貼着し、さらに当該１の用紙を開いた状態で、裏面側剥離紙を剥離除去してから前記１の用紙に対面する内側の用紙に裏側粘着剤により無線タグを貼着することを特徴とする無線タグの書籍への貼着方法、にある。
【００１２】
本発明の要旨の５は、次の（１）から（８）の工程、（１）インレット用ベースフィルムに間隔を置いて、細長形状の無線タグ用アンテナを該インレット用ベースフィルムの長さ方向に直交するように形成する工程、（２）上記無線タグ用アンテナに非接触ＩＣチップを装着して、無線タグインレットの連続体を完成する工程、（３）上記無線タグインレットのアンテナ面に、両面粘着テープをアンテナ面側に全面に接着する工程、（４）無線タグインレットの横幅を超える一定間隔で、切り取り用ミシン目線を剥離紙の長さ方向に略直交して横断するように形成して裏面側剥離紙を準備する工程、（５）無線タグインレットを１単位の横幅を超える幅に切断しながら前記両面粘着テープにより、（４）の工程で準備した裏面側剥離紙に位置合わせして接着する工程、（６）無線タグインレットのインレット用ベースフィルム面に、表面側剥離紙付き両面粘着テープを全面に接着する工程、（７）裏面側剥離紙に形成された切り取り用ミシン目線に、１単位の無線タグインレットの一方側長辺が一致するようにして、表面側剥離紙面から無線タグインレットの形状を打ち抜きする工程、（８）前記無線タグインレットの形状の外部であって、無線タグインレットを構成しない表面側剥離紙と粘着剤層、およびインレット用ベースフィルムを除去する工程、を有することを特徴とする無線タグラベルの製造方法、にある。
【００１３】
上記製造方法において、前記工程（４）で、裏面側剥離紙に形成する切り取り用ミシン目線を、単位の無線タグインレットの長辺に沿う部分では直線状に形成し、長辺を超える域では、無線タグインレットの短辺側に屈曲するように形成する、ことができる。
【発明の効果】
【００１４】
本発明の無線タグラベルは、裏面側剥離紙に、切り取り用ミシン目線が、１単位の無線タグインレットの横幅を超える一定間隔で形成されていて、この切り取り用ミシン目線に沿って、表面側剥離紙と粘着剤層と共に一体に打ち抜きされた無線タグインレットが剥離可能に接着した状態で有するので、無線タグインレットを切り取り線により単位のタグに切断した後、裏面側剥離紙の余白部分（無線タグインレットでない部分）に指を添えて、書籍の背に近い部分に差し込みすることが容易になり、差し込みした状態で表裏剥離紙を除去して書籍への貼着が簡単にできる。
切り取りした単位の無線タグ（請求項５）も、同様に、使用できる効果を有する。
【００１５】
本発明の無線タグの書籍への貼着方法によれば、切り取りした単位の無線タグを、表面側剥離紙を剥離除去して、書籍の表紙または裏表紙の背に接近したのど部分紙間に無線タグインレットが先端になるようにして差し込みし、次に表面側に書籍の表紙または裏表紙を被せて貼着し、さらに表紙または裏表紙を開いた状態で、裏面側剥離紙を剥離除去してから表紙または裏表紙の内側の用紙に裏側粘着剤により貼着するような簡単な方法で、書籍へ貼着することができる。
書籍の表紙または裏表紙に限らず、書籍の任意の紙間であっても同様に貼着できる。
【００１６】
本発明の無線タグラベルの製造方法によれば、複雑な構造を有する無線タグラベルをラミネータまたはＩＣタグ加工機を用いて、高い精度で製造することができる。
【発明を実施するための最良の形態】
【００１７】
本発明は、上記効果を有する無線タグラベルと無線タグ、無線タグの書籍への貼着方法、無線タグラベルの製造方法に関するが、以下、図面を参照して説明する。
図１は、無線タグラベルを示す平面図、図２は、切り取りした単位の無線タグの断面を拡大して示す図、図３、図４は、無線タグラベルの他の例を示す平面図、図５は、１単位の無線タグインレットを示す平面図、図６は、無線タグの使用方法を説明する図、図７は、無線タグラベルを製造する工程１を示す図、図８は、同工程２を示す図、図９は、同工程３を示す図、図１０は、同工程４を示す図、図１１は、同工程５を示す図、である。
【００１８】
無線タグラベル１０は、図１の平面図のように、連続した一定幅Ｗの裏面側剥離紙１４に無線タグインレット１が一定間隔ｐの等間隔で接着して保持されている。ただし、シート状ラベルの場合、シートの両端の無線タグインレット１と裏面側剥離紙１４の縁辺までの間隔はｐであることに限定されない。特に、左側部分１４ｅの裏面側剥離紙１４は無くてもよく、右側部分１４ｆの幅は一定間隔ｐを超えるものであってもよい。
図１の場合、６本の無線タグ（１０１〜１０６）が１のシート面に並んでいるが、この数は特に限定されない。帯状にさらに連続する形態であってもよい。
一定幅Ｗは、無線タグインレット１の縦方向長さＬと同等かもしくはより幅広にされている。また、一定間隔ｐは、１５ｍｍから４０ｍｍ程度の範囲にされる。無線タグインレット１の横幅に、１０ｍｍないし２０ｍｍを加えた間隔ｐでもよい。無線タグインレット１の横幅よりも広くするのは、無線タグを使用する際に指先で裏面側剥離紙１４面を押さえて紙間に差し込み易くするためであり、不必要に間隔ｐを大きくする必要はないからである。裏面側剥離紙１４には、その長さ方向に略直交し、かつ横断するように切り取り用ミシン目線１４ｍが形成されている。ミシン目線１４ｍは無線タグインレット１の、一方側長辺に略一致するように形成されている。
【００１９】
図２は、切り取りした単位の無線タグ１０１の断面を拡大して示す図である。図２のように、各無線タグインレット１の左側辺は、剥離紙１１、粘着剤層１２、インレット用ベースフィルム１ｂを含め、剥離紙１４のミシン目線１４ｍと略一致するようにほぼ同一線上で切断されている。略一致するとは、剥離紙１４の縁辺と１〜２ｍｍ程度のずれは許容されることを意味する。一方、右側辺は裏面側剥離紙１４のみが無線タグインレット１よりも拡張した面積を有している。無線タグインレット１のベースフィルム１ｂ面は無線タグインレット１と同等サイズの表面側剥離紙１１で保護されている。
なお、無線タグインレット１とは、インレット用ベースフィルム１ｂにアンテナ２を形成して非接触ＩＣチップ３を実装した状態のものをいい、無線タグとは無線タグインレット１に粘着剤層１２，１３や剥離紙が１１，１４が備えられている状態のものをいうこととする。無線タグインレット１の状態で非接触通信機能を有するので、無線タグインレット１を無線タグとしても良いが、後加工された状態と区別するため便宜的に用語を使い分けるものである。
【００２０】
図３、図４は、無線タグラベルの他の例を示す平面図である。図３の場合は、切り取り用ミシン目線１４ｍが、単位の無線タグインレット１の長辺１ａに沿う部分では直線状に形成されており、無線タグインレット１の長辺を超える域では、短辺１ｂ，１ｃ側に屈曲するように形成されている特徴がある。このようにする場合は、長辺１ａ側を先端として書籍の紙間に差し込みする際に、無線タグの両端部が折れ曲がったり変形することがなく、使用し易い形態になる。請求項１で「略直交して」とするのは、このように屈曲する場合があるからである。もっとも、無線タグインレット１の長辺長さと裏面側剥離紙１４の幅が一致する（同等の）場合は、このような屈曲域を設けることはできない。
図４の場合は、同様に、無線タグインレット１の長辺を超える域では、裏面側剥離紙１４を部分的に打ち抜き１４ｄした形態である。この場合も同様の効果を有する。
【００２１】
図５は、１単位の無線タグインレットを示す平面図である。本発明のラベルでは、ＵＨＦ帯の無線タグインレット１を使用する。従って、左右の１／４波長ダイポールアンテナ２Ｒ，２Ｌからなる半波長ダイポールアンテナ２が使用される。ただし、アンテナ形状は各種のものがあり、図示のものには限定されない。給電部にはＵＨＦ帯用の非接触ＩＣチップ３が実装されている。わが国のＵＨＦ帯では、９５２〜９５５ＭＨｚであるが、米国では９０２〜９２８ＭＨｚ、ヨーロッパでは８６５〜８６８ＭＨｚとされ、それぞれ異なる波長域が使用されている。
【００２２】
次に、図６にを参照して無線タグの使用方法を説明する。書籍５の表紙５１と見返し５２の間に貼着する状態で説明しているが、裏表紙の場合も同様であり、書籍のいずれかの紙間に貼着する場合も同様である。
まず、図６（Ａ）のように、１単位に切り離しした無線タグから表面側剥離紙１１を剥がして除去する。書籍５の表紙５１を持ち上げ、無線タグのインレット１を先端にして、表紙５１と見返し５２間の背５３に接近したのど部分に差し込みする。その際、裏面側剥離紙１４のインレット１の無い余白部分を指先で押さえて差し込みするようにする。
【００２３】
次いで、図６（Ｂ）のように、露出した粘着剤層１２に表紙５１を被せて圧着すると、粘着剤層１２に表紙裏側が貼着する。次に、図６（Ｃ）のように再度、表紙５１を持ち上げた状態で裏面側剥離紙１４を剥がして除去する。その後、図６（Ｄ）のように、露出した粘着剤層１３を見返し５２面に圧着すると、無線タグは、表紙５１裏側と見返し５２間に完全に貼着された状態になる。
以上は、表紙５１と見返し５２の間に貼着する場合を例として説明したが、書籍５の任意の紙間に適用できることは明らかなことである。請求項６では、表紙または裏表紙の背に接近したのど部分の紙間に接着する場合を要件とし、請求項７では、任意の紙間に接着する場合を要件としている。
【００２４】
次に、無線タグラベルの製造方法について、図７〜図１１を参照して説明する。
（１）インレット用ベースフィルムに間隔を置いて、細長形状の無線タグ用アンテナを該インレット用ベースフィルムの長さ方向に直交するように形成する工程を行う。
これには、ポリエチレンテレフタレート（ＰＥＴ）やポリカーボネート、ポリアミド、ポリイミド等の帯状基材に、アルミ箔や銅箔をラミネートしたインレット用ベースフィルム１ｂを使用し、アンテナ用レジストパターンをレジスト印刷やフォトレジストを使用して形成する。その後、エッチングしてアンテナ２を形成する。この際のアンテナ間のピッチｑは最終製品（無線タグラベル１０）のピッチｐと同一である必要はなく、より短いピッチ間隔のものでもよい。この後の工程で、無線タグインレット１の長辺に平行に縦断裁して裏面側剥離紙１４に接着させる加工を行うからである（図７参照）。
単位の無線タグインレット１の横幅は１ｍｍから１０ｍｍ程度であって、縦方向長さが２ｃｍから２０ｃｍ程度となるから、細長形状の無線タグ用アンテナ２は、その中に納まる程度の形状になる。
【００２５】
（２）上記無線タグ用アンテナに非接触ＩＣチップを装着して、無線タグインレットの連続体を完成する工程を行う。アンテナ２にＵＨＦ帯用非接触ＩＣチップ３を実装して、ＩＣタグインレットの帯状連続体を完成する（図７参照）。なお、図７（Ａ）は帯状連続状態の一部分を示す平面図であり、図７（Ｂ）は、図７（Ａ）のａ１−ａ１間の１単位の無線タグインレット１だけを拡大して示す断面図である。
【００２６】
（３）上記無線タグインレットのアンテナ面に、両面粘着テープをアンテナ面側に全面に接着する工程を行う。
図８（Ａ）のように、両面粘着テープ１３ｔを無線タグインレット１のアンテナ２面側に接着する。両面粘着テープ１３ｔは後に粘着剤層１３となるものであり、当初は両面が保護紙で被覆されている状態であるが、アンテナ２面に接する側の保護紙を除去して接着させる。図示してないが、両面粘着テープ１３ｔのアンテナ２面とは反対側の保護紙は残しておいてもよい。図８（Ｂ）は、図８（Ａ）のａ２−ａ２間の断面図である。
【００２７】
（４）無線タグインレットの横幅を超える一定間隔で、切り取り用ミシン目線を剥離紙の長さ方向に略直交して横断するように形成して裏面側剥離紙を準備する工程を行う。
この工程は、上記した無線タグインレット１の準備工程とは別の工程であり、裏面側剥離紙の準備工程を意味する。従って、（１）〜（３）の工程との順序は特に問わない。
無線タグインレットのインレット用ベースフィルムと同等かまたは広幅の裏面側剥離紙１４に、切り取り用ミシン目線１４ｍを無線タグラベル１０の完成時の状態と同一の一定間隔ｐで形成する。ミシン目線１４ｍは抜き刃を用いて形成できる。ミシン目線１４ｍは剥離紙１４の長さ方向に略直交して形成するのは前記のとおりである。
【００２８】
（５）無線タグインレットを単位の横幅を超える幅に切断しながら前記両面粘着テープにより、（４）の工程で準備した裏面側剥離紙に位置合わせして接着する工程を行う。
準備した無線タグインレットは、完成時のピッチｐとは無関係のピッチｑで形成され、サイズも最終製品のものとは異なっているので、所定ピッチｐと所定サイズにするための準備を行う。これには、図９（Ａ）のように、完成時の無線タグインレット１の１単位の横幅を超える適宜な幅にインレット用ベースフィルム１ｂを切断して、無線タグインレット１の長辺の一方が、裏面側剥離紙１４に形成したミシン目線１４ｍを超える（またぐ）ようにして、ただしインレット１の切断予定線が略一致するように位置合わせしながら接着させる。ミシン目線１４ｍは剥離紙１１で覆われているので、実際には見えないものである。このような工程は、ＩＣタグ加工機を用いて行うことができる。
図９（Ｂ）は、図９（Ａ）のａ３−ａ３間の断面図である。
【００２９】
（６）無線タグインレットのインレット用ベースフィルム面に、表面側剥離紙付き両面粘着テープを全面に接着する工程を行う。
この工程は、表面側剥離紙１１と共に無線タグインレット１を打ち抜いて形成するための準備工程である。両面粘着テープは、完成時には粘着剤層１２となるものである。表面側剥離紙付き両面粘着テープの幅は、インレット用ベースフィルム１ｂと同一幅かやや広幅であることが好ましい。両面粘着テープを接着した状態では、図１０のように、その下面のものは隠蔽されて見えない。ミシン目線１４ｍも実際には見えないものである。
図１０（Ｂ）は、図１０（Ａ）のａ４−ａ４間の断面図である。
【００３０】
（７）裏面側剥離紙に形成された切り取り用ミシン目線に、１単位の無線タグインレットの一方側長辺が一致するようにして、表面側剥離紙面から無線タグインレットの形状を打ち抜きする工程を行う。
この工程は、無線タグインレット１の外形形状を打ち抜き形成する工程である。予め準備した抜き刃を用いて、シート毎に一括して打ち抜く加工を行う。もっとも、連続状の帯状ラベルの場合は、回転するダイカットローラを用いて打ち抜きすることもできる。
裏面側剥離紙１４に形成した切り取り用ミシン目線１０ａと、無線タグインレット１の一方側の長辺が一致した線を形成することが好ましいが、１ｍｍ〜２ｍｍ程度の位置ずれが生じても実用的には問題がない。抜き刃は、表面側剥離紙１１と粘着剤層１２、インレット用ベースフィルム１ｂ、粘着剤層１３を打ち抜きして、裏面側剥離紙１４には達しないように調整する（図１１参照）。
【００３１】
（８）無線タグインレットの形状の外部であって、無線タグインレットを構成しない表面側剥離紙と粘着剤層、およびインレット用ベースフィルムを除去する工程を行う。
この工程は最終行程であり、図１１のように、無線タグインレット１のみを裏面側剥離紙１４面に残し、その他の不要部分を剥離して除去する加工を行う。これにより、無線タグラベル１０が完成する。図１１（Ｂ）は、図１１（Ａ）のａ５−ａ５間の断面図であり、不要部分を剥離した除去後の状態を示している。
【００３２】
＜材質に関する実施形態＞
（１）インレット用ベースフィルム
プラスチックフィルムを幅広く各種のものを使用でき、以下に挙げる単独フィルムあるいは複合フィルムを使用できる。厚みは、２０μｍから３００μｍ程度が好ましい。
ポリエチレンテレフタレート（ＰＥＴ）、ＰＥＴ−Ｇ（テレフタル酸−シクロヘキサンジメタノール−エチレングリコール共重合体）、ポリ塩化ビニル、塩化ビニル−酢酸ビニル共重合体、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。
【００３３】
（２）剥離紙
プラスチックフィルムや紙基材を幅広く各種のものを使用できる。プラスチックフィルムとしては、上記ベースフィルムに挙げたものを使用でき、紙基材としては、上質紙、コート紙、クラフト紙、グラシン紙、合成紙、等を使用できる。裏面側剥離紙１４は、やや厚みがあるものを使用して、指先で押さえて差し込みしても変形しない程度のこしがあるものが必要となる。
【００３４】
（３）粘着剤
また、本明細書で粘着剤という場合は、徐々に粘度が顕著に上昇することなく、いつまでも中間的なタック状態を保つものをいうものとする。
粘着剤の樹脂組成物としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。
【００３５】
以上のように、本発明の実施形態を説明したが、本発明は図示した実施例等には限定されず、各種の実施形態が可能なものである。例えば、帯状の連続ラベルであっても良く、微少な形態であれば、一方側粘着剤層を省略する形態も可能なものである。
【図面の簡単な説明】
【００３６】
【図１】無線タグラベルを示す平面図である。
【図２】切り取りした単位の無線タグの断面を拡大して示す図である。
【図３】無線タグラベルの他の例を示す平面図である。
【図４】無線タグラベルの他の例を示す平面図である。
【図５】１単位の無線タグインレットを示す平面図である。
【図６】無線タグの使用方法を説明する図である。
【図７】無線タグラベルを製造する工程１を示す図である。
【図８】同工程２を示す図である。
【図９】同工程３を示す図である。
【図１０】同工程４を示す図である。
【図１１】同工程５を示す図である。
【符号の説明】
【００３７】
１    無線タグインレット
１ｂ  インレット用ベースフィルム
２    アンテナ
３    ＩＣチップ
１０    無線タグラベル
１０    ラベル表紙
１１    表面側剥離紙
１２，１３    粘着剤層
１４    裏面側剥離紙
１４ｍ    ミシン目線
【図１】
0005115278.tif 000002
【図２】
0005115278.tif 000003
【図３】
0005115278.tif 000004
【図４】
0005115278.tif 000005
【図５】
0005115278.tif 000006
【図６】
0005115278.tif 000007
【図７】
0005115278.tif 000008
【図８】
0005115278.tif 000009
【図９】
0005115278.tif 000010
【図１０】
0005115278.tif 000011
【図１１】
0005115278.tif 000012